【手続補正書】
【提出日】平成20年1月22日(2008.1.22)
【手続補正１】
【補正対象書類名】特許請求の範囲
【補正対象項目名】全文
【補正方法】変更
【補正の内容】
【特許請求の範囲】
【請求項１】
光ディスクに、データを記録する工程と、
前記記録したデータを再生する際に、再生速度に応じて、記録したデータ品質の判定基
準を変えることを特徴とする再生方法。
【請求項２】
前記記録する工程は、データにエラー訂正符号を付加した後、ラン長制限符号を用いて
光ディスク媒体にデータブロックを記録する工程であり、
前記判定基準を変える工程は、
（１）前記記録したデータブロックを、光学的に再生して再生信号を得る工程，
（２）前記再生信号を２値化して２値化データ信号を得る工程，
（３）前記２値化データ信号を前記ラン長制限符号を用いて復号しバイトデータ列を得る
工程，
（４）前記バイトデータ列をエラー訂正フレーム単位に再編成した後，リード・ソロモン
符号を用いてエラー訂正処理を行い，前記エラー訂正フレーム単位で訂正バイト数Ｎfrmを計測する工程，
（５）前記データブロック内で前記訂正バイト数Ｎfrmが第１のしきい値以上であるエラ
ー訂正フレームの総数をエラーフレーム数Ｎtotとして計測する工程，
（６）前記エラーフレーム数Ｎtotの値が第２のしきい値以上の場合に，前記データブロ
ックの品質が不十分であると判定する工程，
を有し，前記第１または第２のしきい値のうち少なくとも１つを再生速度に応じて変化さ
せることによって，再生速度に応じた記録データ品質の判定を行うことを特徴とする請求
項１に記載の再生方法。
【請求項３】
データにエラー訂正符号を付加した後、ラン長制限符号を用いて光ディスク媒体にデー
タブロックを記録する工程、
記録したデータブロックを光学的に再生して再生信号を得る工程，
前記再生信号をビタビ復号法により２値化して第１の２値化データ信号を得る工程，
前記第１の２値化データ信号を前記ラン長制限符号を用いて復号しバイトデータ列を得
る工程，
前記バイトデータ列をエラー訂正フレーム単位に再編成した後，リード・ソロモン符号
を用いてエラー訂正処理を行い，エラー訂正情報を得る工程，
前記再生信号をダイレクト・スライス復号法により２値化して第２の２値化データ信号
を得る工程，
前記第２の２値化データ信号から，前記ラン長制限符号の最小ラン長Ｌminよりも短い
長さのうち少なくとも(Ｌmin−１)の長さのデータの発生数であるラン長エラー発生情報
を得る工程，
を有し、前記エラー訂正情報及び前記ラン長エラー発生情報に基づいて記録データ品質の
判定を行うことを特徴とする情報の再生方法。
【請求項４】
前記記録する工程は、データにエラー訂正符号を付加した後、ラン長制限符号を用いて
光ディスク媒体にデータブロックを記録する工程であり、
前記判定基準を変える工程は、
（１）記録したデータブロックを光学的に再生して再生信号を得る工程，
（２）前記再生信号をビタビ復号法により２値化して第１の２値化データ信号を得る工程
，
（３）前記第１の２値化データ信号を前記ラン長制限符号を用いて復号しバイトデータ
列を得る工程，
（４）前記バイトデータ列をエラー訂正フレーム単位に再編成した後，リード・ソロモン
符号を用いてエラー訂正処理を行い，前記エラー訂正フレーム単位で訂正バイト数Ｎfrmを計測する工程，
（５）前記データブロック内で前記訂正バイト数Ｎfrmが第１のしきい値以上であるエラ
ー訂正フレームの総数をエラーフレーム数Ｎtotとして計測する工程，
（６）前記再生信号をダイレクト・スライス復号法により２値化して第２の２値化データ
信号を得る工程，
（７）前記第２の２値化データ信号から，前記ラン長制限符号の最小ラン長Ｌminよりも
短い長さのうち少なくとも(Ｌmin−１)の長さのデータの発生数をラン長エラー発生数Ｅfrmとして前記エラー訂正フレームと同じ長さの区間ごとに計測する工程，
（８）前記データブロック内で前記ラン長エラー発生数Ｅfrmが第２のしきい値以上であ
る前記区間の総数をラン長エラーフレーム数Ｅtotとして計測する工程，
（９）前記エラーフレーム数Ｎtotと前記ラン長エラーフレーム数Ｅtotの和の値が第３の
しきい値以上の場合に，前記データブロックの品質が不十分であると判定する工程，
を有し，前記第１から第３のしきい値のうち少なくとも１つを再生速度に応じて変化させ
ることによって，再生速度に応じた記録データ品質の判定を行うことを特徴とする請求項
１記載の再生方法。
【請求項５】
前記記録する工程は、データにエラー訂正符号を付加した後、ラン長制限符号を用いて
光ディスク媒体にデータブロックを記録する工程であり、
前記判定基準を変える工程は、
（１）記録したデータブロックを光学的に再生して再生信号を得る工程，
（２）前記再生信号をビタビ復号法により２値化して第１の２値化データ信号を得る工程
，
（３）前記第１の２値化データ信号を前記ラン長制限符号を用いて復号しバイトデータ
列を得る工程，
（４）前記バイトデータ列をエラー訂正フレーム単位に再編成した後，リード・ソロモン
符号を用いてエラー訂正処理を行い，前記エラー訂正フレーム単位で訂正バイト数Ｎfrmを計測する工程，
（５）前記データブロック内で前記訂正バイト数Ｎfrmが第１のしきい値以上であるエラ
ー訂正フレームの総数をエラーフレーム数Ｎtotとして計測する工程，
（６）前記エラーフレーム数Ｎtotの値が第２のしきい値以上の場合に，結果を“真”と
する第１の判定を実施する工程，
（７）前記再生信号をダイレクト・スライス復号法により２値化して第２の２値化データ
信号を得る工程，
（８）前記第２の２値化データ信号から，前記ラン長制限符号の最小ラン長Ｌminよりも
短い長さのうち少なくとも(Ｌmin−１)の長さのデータの発生数をラン長エラー発生数Ｅfrmとして前記エラー訂正フレームと同じ長さの区間ごとに計測する工程，
（９）前記データブロック内で前記ラン長エラー発生数Ｅfrmが第３のしきい値以上であ
る前記区間の総数をラン長エラーフレーム数Ｅtotとして計測する工程，
（１０）前記ラン長エラーフレーム数Ｅtotの値が第４のしきい値以上の場合に，結果を
“真”とする第２の判定を実施する工程，
（１１）前記第１の判定または前記第２の判定のうち少なくとも１つが“真”である場合
に，前記データブロックの品質が不十分であると判定する工程，
を有し，前記第１から第４のしきい値のうち少なくとも１つを再生速度に応じて変化させ
ることによって，再生速度に応じた記録データ品質の判定を行うことを特徴とする請求項
１記載の再生方法。
【請求項６】
光ディスク媒体にデータの記録及び再生が可能な光ディスク装置であって，
再生速度を可変にする手段と、
前記再生速度に応じて記録したデータ品質の判定基準を変える手段とを有することを特
徴とする光ディスク装置。
【請求項７】
前記光ディスク装置は、
データにエラー訂正符号を付加した後ラン長制限符号を用いて光ディスク媒体にデータ
ブロックを記録する手段，
記録したデータブロックを光学的に再生して再生信号を得る手段，
前記再生信号を２値化して２値化データ信号を得る手段，
前記２値化データ信号を前記ラン長制限符号を用いて復号しバイトデータ列を得る手段
，
前記バイトデータ列をエラー訂正フレーム単位に再編成した後，リード・ソロモン符号
を用いてエラー訂正処理を行い，前記エラー訂正フレーム単位で訂正バイト数Ｎfrmを計
測する手段，
前記データブロック内で前記訂正バイト数Ｎfrmが第１のしきい値以上であるエラー訂
正フレームの総数をエラーフレーム数Ｎtotとして計測する手段，
前記エラーフレーム数Ｎtotの値が第２のしきい値以上の場合に，前記データブロック
の品質が不十分であると判定する手段，
を有し，前記第１または第２のしきい値のうち少なくとも１つを再生速度に応じて変化さ
せることによって，再生速度に応じた記録データ品質の判定を行うことを特徴とする請求
項６記載の光ディスク装置。
【請求項８】
前記光ディスク装置は、
データにエラー訂正符号を付加した後ラン長制限符号を用いて光ディスク媒体にデータ
ブロックを記録する手段，
記録したデータブロックを光学的に再生して再生信号を得る手段，
前記再生信号をビタビ復号法により２値化して第１の２値化データ信号を得る手段，
前記第１の２値化データ信号を前記ラン長制限符号を用いて復号しバイトデータ列を得
る手段，
前記バイトデータ列をエラー訂正フレーム単位に再編成した後，リード・ソロモン符号
を用いてエラー訂正処理を行い，エラー訂正情報を得る手段，
前記再生信号をダイレクト・スライス復号法により２値化して第２の２値化データ信号
を得る手段，
前記第２の２値化データ信号から，前記ラン長制限符号の最小ラン長Ｌminよりも短い
長さのうち少なくとも(Ｌmin−１)の長さのデータの発生数であるラン長エラー発生情報
を得る手段，
を有し，前記エラー訂正情報及び前記ラン長エラー発生情報に基づいて記録データ品質の
判定を行うことを特徴とする請求項６に記載の光ディスク装置。
【請求項９】
前記光ディスク装置は、
データにエラー訂正符号を付加した後ラン長制限符号を用いて光ディスク媒体にデータ
ブロックを記録する手段，
記録したデータブロックを光学的に再生して再生信号を得る手段，
前記再生信号をビタビ復号法により２値化して第１の２値化データ信号を得る手段，
前記第１の２値化データ信号を前記ラン長制限符号を用いて復号しバイトデータ列を
得る手段，
前記バイトデータ列をエラー訂正フレーム単位に再編成した後，リード・ソロモン符号
を用いてエラー訂正処理を行い，前記エラー訂正フレーム単位で訂正バイト数Ｎfrmを計
測する手段，
前記データブロック内で前記訂正バイト数Ｎfrmが第１のしきい値以上であるエラー訂
正フレームの総数をエラーフレーム数Ｎtotとして計測する手段，
前記再生信号をダイレクト・スライス復号法により２値化して第２の２値化データ信号
を得る機能，
前記第２の２値化データ信号から，前記ラン長制限符号の最小ラン長Ｌminよりも短い
長さのうち少なくとも(Ｌmin−１)の長さのデータの発生数をラン長エラー発生数Ｅfrmと
して前記エラー訂正フレームと同じ長さの区間ごとに計測する手段，
前記データブロック内で前記ラン長エラー発生数Ｅfrmが第２のしきい値以上である前
記区間の総数をラン長エラーフレーム数Ｅtotとして計測する手段，
前記エラーフレーム数Ｎtotと前記ラン長エラーフレーム数Ｅtotの和の値が第３のしき
い値以上の場合に，前記データブロックの品質が不十分であると判定する手段，
を有し，前記第１から第３のしきい値のうち少なくとも１つを再生速度に応じて変化させ
ることによって，再生速度に応じた記録データ品質の判定を行うことを特徴とする請求項
６に記載の光ディスク装置。
【請求項１０】
前記光ディスク装置は、
データにエラー訂正符号を付加した後ラン長制限符号を用いて光ディスク媒体にデータ
ブロックを記録する手段，
記録したデータブロックを光学的に再生して再生信号を得る手段，
前記再生信号をビタビ復号法により２値化して第１の２値化データ信号を得る手段，
前記第１の２値化データ信号を前記ラン長制限符号を用いて復号しバイトデータ列を
得る手段，
前記バイトデータ列をエラー訂正フレーム単位に再編成した後，リード・ソロモン符号
を用いてエラー訂正処理を行い，前記エラー訂正フレーム単位で訂正バイト数Ｎfrmを計
測する手段，
前記データブロック内で前記訂正バイト数Ｎfrmが第１のしきい値以上であるエラー訂
正フレームの総数をエラーフレーム数Ｎtotとして計測する手段，
前記エラーフレーム数Ｎtotの値が第２のしきい値以上の場合に，結果を“真”とする
第１の判定を実施する手段，
前記再生信号をダイレクト・スライス復号法により２値化して第２の２値化データ信号
を得る手段，
前記第２の２値化データ信号から，前記ラン長制限符号の最小ラン長Ｌminよりも短い
長さのうち少なくとも(Ｌmin−１)の長さのデータの発生数をラン長エラー発生数Ｅfrmと
して前記エラー訂正フレームと同じ長さの区間ごとに計測する手段，
前記データブロック内で前記ラン長エラー発生数Ｅfrmが第３のしきい値以上である前
記区間の総数をラン長エラーフレーム数Ｅtotとして計測する手段，
前記ラン長エラーフレーム数Ｅtotの値が第４のしきい値以上の場合に，結果を“真”
とする第２の判定を実施する手段，
前記第１の判定または前記第２の判定のうち少なくとも１つが“真”である場合に，前
記データブロックの品質が不十分であると判定する手段，
を有し，前記第１から第４のしきい値のうち少なくとも１つを再生速度に応じて変化させ
ることによって，再生速度に応じた記録データ品質の判定を行うことを特徴とする請求項
６に記載の光ディスク装置。
【請求項１１】
エラー訂正符号が付加されラン長制限符号化規則に従うアナログ信号をデジタル化し、
復号化処理を行い、２値化データ信号を出力するデジタル信号処理部と、
前記復号化する前の信号から、前記ラン長制限符号の最小ラン長Lｍinよりも短い（Lmi
n−１）の長さのデータ数を計測する計測器を有し、前記データ数を、前記エラー訂正符
号のエラー訂正フレーム単位で計測した結果を出力するベリファイユニットとを有するこ
とを特徴とするＩＣ回路。
【請求項１２】
前記ベリファイユニットは、前記デジタル化された信号を２値化する２値化器を有し、
前記２値化された信号から前記データ数を計測することを特徴とする請求項１１記載のＩ
Ｃ回路。
【請求項１３】
前記ベリファイユニットは、前記アナログ信号を２値化するダイレクトスライス２値化
器を有し、前記２値化された信号から前記データ数を計測することを特徴とする請求項１
１記載のＩＣ回路。
【手続補正２】
【補正対象書類名】明細書
【補正対象項目名】００１７
【補正方法】変更
【補正の内容】
【００１７】
図５はジッターとPIエラーの関係を示す。PIフレームは周知のようにDVDの２つエラー
訂正コードの内の１つであり，PIエラーとは1ブロック中に２０８個あるPIフレームのう
ち，エラー訂正を実施したもしくはエラー訂正が不能なPIフレームの個数である。図に見
られるように，ダイレクト・スライス方式に比較してPRML方式では同じジッター値の信号
でもPIエラー数が少なくなることが判る。ここで用いたPRML方式はDVD用として一般的なP
R(3,4,4,3)MLクラスを用いたもので，ダイレクト・スライスとの比較のため，PR等化処理
を行っていない信号に対する結果である。PR等化を実施することによって，さらに
性能の改善が見込まれる。以下本発明では，特に断らない限り，PRMLとは上の条件の方式
であるものとする。このように，PRML方式を用いれば，再生速度の高速化によってジッタ
ー値が増加しても，エラーの発生を低減することができる。図中ジッター値が15%から20%
の領域の範囲では，PRML方式で再生するとエラー訂正数が少ないために記録データの品質
が良好と判断されるが，このデータをダイレクト・スライス方式で再生するとエラー訂正
数が非常に大きく再生不能になる危険性が高い。従って，PRML方式だけを用いてベリファ
イ処理を実施しても再生互換を保証することは困難である。
【手続補正３】
【補正対象書類名】明細書
【補正対象項目名】００２６
【補正方法】変更
【補正の内容】
【００２６】
または、第２の解決手段の第2の例として、ECCエラーとＮtotとＥtotの和で判定する
もので、以下がある。
（１）記録したデータブロックを光学的に再生して再生信号を得る工程，
（２）再生信号をビタビ復号法により２値化して第１の２値化データ信号を得る工程，
（３）第１の２値化データ信号をラン長制限符号を用いて復号しバイトデータ列を得る工
程，
（４）バイトデータ列をエラー訂正フレーム単位に再編成した後，リード・ソロモン符号
を用いてエラー訂正処理を行い，エラー訂正フレーム単位で訂正バイト数Ｎfrmを計測す
る工程，
（５）データブロック内で前記訂正バイト数Ｎfrmが第１のしきい値以上であるエラー訂
正フレームの総数をエラーフレーム数Ｎtotとして計測する工程，
（６）再生信号をダイレクト・スライス復号法により２値化して第２の２値化データ信号
を得る工程，
（７）第２の２値化データ信号から，ラン長制限符号の最小ラン長Ｌminよりも短い長さ
のうち少なくとも(Ｌmin−１)の長さのデータの発生数をラン長エラー発生数Ｅfrmとして
エラー訂正フレームと同じ長さの区間ごとに計測する工程，
（８）データブロック内で前記ラン長エラー発生数Ｅfrmが第２のしきい値以上である区
間の総数をラン長エラーフレーム数Ｅtotとして計測する工程，
（９）エラーフレーム数Ｎtotとラン長エラーフレーム数Ｅtotの和の値が第３のしきい値
以上の場合に，データブロックの品質が不十分であると判定する工程，
を有し，前記第１から第３のしきい値のうち少なくとも１つを再生速度に応じて変化させ
ることによって，再生速度に応じた記録データ品質の判定を行うものである。
【手続補正４】
【補正対象書類名】明細書
【補正対象項目名】００２７
【補正方法】変更
【補正の内容】
【００２７】
また、第２の解決手段の第３の例として、ECC判定と2T数判定をそれぞれ行って総合判
定するもので、以下がある。
（１）記録したデータブロックを光学的に再生して再生信号を得る工程，
（２）再生信号をビタビ復号法により２値化して第１の２値化データ信号を得る工程，
（３）第１の２値化データ信号をラン長制限符号を用いて復号しバイトデータ列を得る
工程，
（４）バイトデータ列をエラー訂正フレーム単位に再編成した後，リード・ソロモン符号
を用いてエラー訂正処理を行い，エラー訂正フレーム単位で訂正バイト数Ｎfrmを計測す
る工程，
（５）データブロック内で訂正バイト数Ｎfrmが第１のしきい値以上であるエラー訂正フ
レームの総数をエラーフレーム数Ｎtotとして計測する工程，
（６）エラーフレーム数Ｎtotの値が第２のしきい値以上の場合に，結果を“真”とする
第１の判定を実施する工程，
（７）再生信号をダイレクト・スライス復号法により２値化して第２の２値化データ信号
を得る工程，
（８）第２の２値化データ信号から，ラン長制限符号の最小ラン長Ｌminよりも短い長さ
のうち少なくとも(Ｌmin−１)の長さのデータの発生数をラン長エラー発生数Ｅfrmとして
エラー訂正フレームと同じ長さの区間ごとに計測する工程，
（９）データブロック内でラン長エラー発生数Ｅfrmが第３のしきい値以上である区間の
総数をラン長エラーフレーム数Ｅtotとして計測する工程，
（１０）ラン長エラーフレーム数Ｅtotの値が第４のしきい値以上の場合に，結果を“真
”とする第２の判定を実施する工程，
（１１）第１の判定または第２の判定のうち少なくとも１つが“真”である場合に，デー
タブロックの品質が不十分であると判定する工程，
を有し，前記第１から第４のしきい値のうち少なくとも１つを再生速度に応じて変化させ
ることによって，再生速度に応じた記録データ品質の判定を行うものである。